(57)【要約】      （修正有）【課題】  学生席の椅子を着席可否の構造椅子に作り、それを遠隔操作して、前部より着席可能にする。【解決手段】  座跳上げ式の椅子において、跳ね上がった座に遠隔にて作動するストッパ−を設け、このストッパ−を掛け又は外す事により、座の使用を可能又は不可能にする。椅子座１５の裏面に支点１６を固着し、この支点１６にストッパ−１７の上端が回動自在に取り付けられている。ストッパ１７の下端は、ソレノイド１９のピストン２０にて下降を阻止されている。ピストン２０はソレノイド１９に印加される電力により出入作動する。【選択図】    図１
2007054592.tif 000002
【特許請求の範囲】
【請求項１】
遠隔操作椅子及びその操作方法において、椅子座に遠隔操作の着席可能機構と着席不能機構を設けてなることを特徴とする、遠隔操作椅子及びその操作方法。
【請求項２】
請求項１記載の遠隔操作椅子及びその操作方法において、椅子座のストッパー装置に、ソレノイドを設けてなりたることを特徴とする遠隔操作椅子及びその操作方法。
【請求項３】
請求項１記載の遠隔操作椅子及びその操作方法において、椅子座のストッパー装置に、電動シリンダーを設けてなりたることを特徴とする遠隔操作椅子及びその操作方法。
【請求項４】
請求項１記載の遠隔操作椅子を縦横に多数配列したるものを、各椅子に接続されたる操作配線を介して操作盤にて遠隔操作する操作方法を特徴とする遠隔操作椅子及びその操作方法。
【発明の詳細な説明】
【技術分野】
【０００１】  本発明は、主として大学校の講義室に設置される受講者用椅子及び、その椅子を多数配置したものを、遠隔より操作する方法に関するものである。
【背景技術】
【０００２】  大学校の講義室の学生用机及び椅子は、社会の進歩と共に、形状も近代的に洗練されたものになっているが、機能的な面における進歩は見受けられず旧態通りである。
本発明の学生用椅子は遠隔操作機能の椅子であって、このような構成の椅子は、従来全く存在して居らず、そのためこの椅子を遠隔より操作する方法も勿論、従来にては全く存在しない。
【特許文献】  該当する類似文献は見当たらない。
【非特許文献】  該当する類似文献は見当たらない。
【発明の開示】
【発明が解決しようとする課題】
【０００３】  大学校の授業講義には、奥行きの深い広大な講義室が使用されているが、学生が全席を満たす事は極めて少なく、通常は一部の席を使用する場合が多い、この場合において大学では学生の着席位置を定めて居らず、学生各自は自己の好む席に着席する。
授業時の学生の着席位置は、その時の授業科目及び教師の人望、実力を、学生が評価し、評価点の芳しくない教師の授業には、学生の着席位置は後部に集結する。
指導力不足の教師が講義すれば、学生は後部に着席し、学生と教師は、精神的、物理的に離反し授業の雰囲気を喪失し、その授業は益々空虚なものになる。
学生は、教師から離れた位置に着席すると、遅刻、早退が容易にでき、居眠りも容易にでき、学生としての本来目的から全く逸脱したものになる。
【発明が解決するための手段】
【０００４】  本発明は、上記問題点を解決するためになされたものであって、講義室内における学生の着席位置を装置的手段にて、前席より順次に着席させるものである、即ち学生席の椅子を着席可否の構造椅子に作り、それを遠隔操作して、前部より着席可能にする。
このように制御装置にて、学生を前席に着席させる手段は、教師側にとって処置が容易であり、感情問題も発生せず理想的である。
遠隔操作椅子は従来において全く存在しなかったが、構造としては簡単なもので、学生の着席を不能にできれぱよい、例えば現今多用されている座跳ね上げ式の椅子の場合であれば跳ね上がった座に遠隔にて作動するストッパーを設け、このストッパーを掛け又は外す事により、座の使用を可能又は不可能にする。
ストッパーの作動方式は電気モーター式、ソレノイド式、エァーシリンダー式、油圧シリンダー式等、種々なる方式のいずれにても使用可能なことは勿論である、又ストッパーの形状も種々なる方式にても使用可能な事は勿論である。
本発明の遠隔操作椅子は、広い講義室に設置されるものであるため、数多く設置されるその配列を制御部の操作ボタンを押すことにより、任意の席の椅子を、使用可、或いは使用不可にし、学生の着席位置を正常化する、この事は学生の授業姿勢を正常化するものであるが、教師側にとっても学生と近接しているため、従来のような空虚な講義が、できなくなり授業を正常化することができる。
【発明の効果】
【０００５】  以上のように本発明の遠隔操作椅子及びその操作方法は、授業時に学生の着席を、前部の正位置に着席させることができる、そのため教師側と学生側の離反が解消でき、両者の授業に対する観念が改善される、勉強の効果が上がる。
学生は教師から近距離に着席すれば、従来のように遅刻、早退、居眠り等が、簡単にできない、又教師側も学生と接近して講義すると、従来のような時間消化的な無意味な講義ができなくなり、熱意のある講義をせざるを得なくなる。
学生を口頭にて前席に着かせる事は困難であるが、余分の席を遠隔操作にて着席不能にすることは極めて簡単容易であり確実に実施でき学校本来の正しい授業ができる。
【発明を実施するための最良の形態】
【０００６】  本発明の遠隔操作椅子及びその操作方法は、従来の座跳ね上げ式椅子の座にストッパーを設け、このストッパーの作動を遠隔より操作するものであるため、発明の形態としては従来椅子と殆ど相違はない。
ストッパーを作動させる、動力源としては、多種多様なものがあるが、簡便で安価なものとしては、小形電気モーター式、或いはソレノイド式、が保守、管理も容易である。
本発明装置は、多数の椅子を制御装置にて操作するため、全椅子と制御装置とを連絡する制御用の配線を施設する。
【実施例】
【０００７】  以下本発明の遠隔操作椅子及びその操作方法を図面に基づき詳細に説明する、図１は本発明の遠隔操作椅子及びその操作方法における、遠隔操作椅子の一部切截側面図であって、１４は椅子本体である、１５は跳ね上げ式の椅子座にして、このような座を跳ね上げる方式の椅子は、劇場、公会堂、大学校等にて従来より多用されており、手動にて座を上げる方式とスプリングにて座を上げる方式があるが、本発明の椅子座１５はスプリング方式であって人間が座席を立つと、椅子座１５は自動的に跳ね上がる。
ここまでの方式は従来より採用されているが、本発明方式は、椅子座１５の裏面に支点１６を固着し、この支点１６にストッパー１７の上端が回動自在に取り付けられている。
ストッパー１７の下端は、ソレノイド１９のピストン２０にて下降を阻止されている。
ビストン２０はソレノイド１９に印加される電力により出入作動するものであるため、ピストン２０が突出している場合はストッパー１７の下端は阻止され下降できない、ピストン２０が、引き入れられるとストッパー１７は下降可能、即ち着席可能の状態になる、ストッパー１７が下降不能の状態時は、着席を拒否する場合である、１８は座受板にして椅子座１５が下降した場合に椅子座１５を受け止めるものである。【０００８】  ストッパー１７の阻止装置として上記例ではソレノイド１９を用いているが、ソレノイド１９に限定されたものでなく、電動シリンダー、空圧シリンダー、油圧シリンダー等、どのよようなものを使用しても可能なことは勿論であって、保守、管理が容易であり、製作費が安価にて使い便利なものであれば、どのようなものを利用して良いことは勿論である。
ストッパー１７は常時はロック状態にして置き、必要の都度ロックを解き使用可能にするものである、即ち本発明は使用を拒否する機能を持った従来に無い特異な椅子である。【０００９】  図２は、本発明の遠隔操作椅子及びその操作方法における、操作方法配線図であって、１は室の一番前に横列になった第１列席椅子である、２は前より２番目に横列になった第２列席椅子にして、第１列席椅子１及び第２列席椅子２は、室の前部に設置されているため着席可否操作の必要が無く、そのため操作機能を具備しない普通の椅子を使用する。
３は前より３番目の、第３列席椅子であって、この第３列席椅子３より、後部の席に、図１記載の遠隔操作椅子が使用される，このため第３列席椅子３の各椅子には第３列操作配線９が接続され、その第３列操作配線９の端末は操作盤８に接続される、４は第４列席椅子であって、その各椅子には第４列操作配線１０が接続され、その端末は操作盤８に接続される。５は第５列席椅子であって、その各椅子には第５列操作配線１１が接続され、その端末は操作盤８に接続される、６は第６列席椅子であって、その各椅子には第６列操作配線１２が接続され、その端末は操作盤８に接続される、７は第７列席椅子であって、その各椅子には第７列操作配線１３が接続され、その端末は操作盤８に接続される。【００１０】  本発明の遠隔操作椅子及びその操作方法の目的、趣旨は学校の授業に際し、学生を前の席に着席させることにより、遅刻、早退、居眠りを減少、防止すると共に、教師と学生との距離を接近させることににより、従来の怠惰な授業を改革し、両者の授業姿勢を改善せしめる。
従来においては、学生を前席に着席させる事は極めて困難であったが、本発明にて、余分の席を着席不能にして、強制的に学生を前席に着席させ、目的を達成する。
本発明は、このような実施例に何等限定されるものでなく、本発明の要旨を逸脱しない範囲において種々なる態様にて実施できることは勿論である。
【産業上の利用可能性】
【００１１】  本発明は、学校のみでなく、社会のあらゆる分野の会場に利用し有益な効果を発揮するものである。
【図面の簡単な説明】
【００１２】
【図１】本発明の遠隔操作椅子及びその操作方法における遠隔操作椅子の一部切截側面図である。
【図２】本発明の遠隔操作椅子及びその操作方法における操作方法配線図である。
2007054592.tif 000003
2007054592.tif 000004
【符号の説明】
１  第１列席椅子
２  第２列席椅子
３  第３列席椅子
４  第４列席椅子
５  第５列席椅子
６  第６列席椅子
７  第７列席椅子
８  操作盤
９  第３列操作配線
１０  第４列操作配線
１１  第５列操作配線
１２  第６列操作配線
１３  第７列操作配線
１４  椅子本体
１５  椅子座
１６  支点
１７  ストッパー
１８  座受板
１９  ソレノイド
２０  ピストン
【図１】
2007054592.tif 000005
【図２】
2007054592.tif 000006